Podtech/llm-jp-corpus-v4-ja_patent huggingface dataset:
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
方法であって、
バーストリクエストをマスターから受信すること、
リクエストされたバーストに対応するバースト特性を求めること、
複数のバーストエラープロトコルの一つを前記バースト特性に基づいて選択することであって、前記バースト特性を求めることは、前記リクエストされたバーストに対応するバーストタイプを決定することを含み、前記選択されたバーストエラープロトコルは、前記バーストタイプに基づいて選択される、複数のバーストエラープロトコルの一つを前記バースト特性に基づいて選択すること、
前記選択されたバーストエラープロトコルに従って前記バーストリクエストに応答すること、
を備える、方法。
【請求項２】
メモリコントローラであって、
リクエストされたバースト転送に対応する少なくとも一つのバースト特性を求め、前記少なくとも一つのバースト特性に基づいてバーストエラープロトコルを選択するバーストプロトコル選択ロジックであって、前記少なくとも一つのバースト特性は、前記リクエストされたバースト転送のバーストタイプを含む、バーストプロトコル選択ロジックと、
前記バーストプロトコル選択ロジックに接続され、前記選択されたバーストエラープロトコルに従って、リクエストされたバーストに応答して前記リクエストされたバースト転送を開始する制御ロジックであって、
前記リクエストされたバースト転送の間にエラーを検出するエラー検出ロジックと、
前記リクエストされたバースト転送を、前記バーストプロトコル選択ロジックから提供された前記選択されたバーストエラープロトコルに基づいて選択的に終了させる終了制御ロジックと、を含む制御ロジックと、
前記バーストプロトコル選択ロジックに接続された制御レジスタであって、前記バーストプロトコル選択ロジックは、前記少なくとも一つのバースト特性及び前記制御レジスタに保存された情報に基づいて前記バーストエラープロトコルを選択し、前記制御レジスタに保存された情報は、複数のバーストエラープロトコルを示し、前記バーストプロトコル選択ロジックは、前記バーストエラープロトコルを前記複数のバーストエラープロトコルから選択し、前記複数のバーストエラープロトコルの各々は、あるバーストタイプに対応し、該バーストタイプは、リードバーストタイプ、ライトバーストタイプ、制限されたバーストタイプ、及び制限の無いバーストタイプのうちの少なくとも一つを含む、制御レジスタと、
を備える、メモリコントローラ。
【請求項３】
メモリコントローラであって、
バーストリクエストをマスターから受信する手段と、
リクエストされたバーストに対応するバースト特性を求める手段と、
複数のバーストエラープロトコルの一つを前記バースト特性に基づいて選択する手段と、
前記選択されたバーストエラープロトコルに従って前記バーストリクエストに応答する手段であって、
バースト転送を開始する手段と、
前記バースト転送の間にエラーを検出する手段と、
前記選択されたバーストエラープロトコルに基づいて前記バースト転送を選択的に終了させる手段と、
を備える、メモリコントローラ。
【請求項４】
複数のマスターと通信可能に構成されたメモリコントローラであって、
リクエストされたバースト転送に対応する前記複数のマスターの一つの識別情報を求め、前記複数のマスターの一つの識別情報に基づいてバーストエラープロトコルを選択するバーストプロトコル選択ロジックと、
前記バーストプロトコル選択ロジックに接続された制御レジスタであって、前記バーストプロトコル選択ロジックは、前記複数のマスターの一つの識別情報及び前記制御レジスタに保存された情報に基づいて、前記バーストエラープロトコルを選択する、制御レジスタと、
前記バーストプロトコル選択ロジックに接続され、前記選択されたバーストエラープロトコルに従って、リクエストされたバーストに応答する制御ロジックと、
を備える、メモリコントローラ。
【請求項５】
メモリコントローラであって、
リクエストされたバースト転送に対応する少なくとも一つのバースト特性を求め、前記少なくとも一つのバースト特性に基づいて、複数のバーストエラープロトコルから一つのバーストエラープロトコルを選択するバーストプロトコル選択ロジックであって、当該メモリコントローラは、複数のマスターと通信可能に構成され、前記複数のバーストエラープロトコルの各々は、前記複数のマスターのうちの一つに対応する、バーストプロトコル選択ロジックと、
前記バーストプロトコル選択ロジックに接続され、前記選択されたバーストエラープロトコルに従って、リクエストされたバーストに応答する制御ロジックと、
を備える、メモリコントローラ。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
ライセンスサーバ（１４０）で実行される方法であり、
携帯用装置（１５２）からＳＭＳ手法を用いて送信されたリクエストメッセージ（１４１）を前記ライセンスサーバ（１４０）が受信する手順と、
前記ライセンスサーバ（１４０）がＳＭＳ手法を用いてテキストベース応答メッセージ（１４３）を前記携帯用装置（１５２）に送信する手順と、を有し、
前記テキストベース応答メッセージ（１４３）が、人が解読可能な文字を含み、それに基づいて再生装置（１２０）を有するシステムにより権限情報を導き出すことができるものであり、前記人が解読可能な文字が、前記再生装置（１２０）を含む前記システム上での前記権限情報の解釈を許可するために前記再生装置（１２０）に組み合わされた入力部（１２２）に手操作で入力されるものである方法。
【請求項２】
セキュアプロセッサ（１１０）および再生装置（１２０）の一方又は両方で実行される方法であり、
前記セキュアプロセッサ（１１０）および前記再生装置（１２０）の一方又は両方が、ライセンスサーバ（１４０）に送信されるリクエストメッセージ（１４１）を生成するのに必要な情報を出力する手順と、
前記セキュアプロセッサ（１１０）および前記再生装置（１２０）の一方又は両方において人が解読可能な文字を受信する手順と、を有し、
前記人が解読可能な文字は、前記再生装置（１２０）に組み合わされた入力部（１２２）に手操作で入力され、前記再生装置（１２０）において前記ライセンスサーバ（１４０）から得られるテキストベース応答メッセージ（１４３）に含まれる文字に相当するものであり、
さらに、前記セキュアプロセッサ（１１０）および前記再生装置（１２０）の一方又は両方が、権限情報を処理するために前記人が解読可能な文字を使用して、前記再生装置（１２０）を含むシステムにおいて前記権限情報の解釈を行う手順を有してなる方法。
【請求項３】
許可されたコンテンツのみが前記再生装置（１２０）またはそれに組み合わされた前記セキュアプロセッサ（１１０）で再生あるいは表示されることを保証する手順を含む、請求項１記載の方法。
【請求項４】
許可されたコンテンツのみが前記再生装置（１２０）および前記セキュアプロセッサ（１１０）の一方又は両方で再生あるいは表示されることを保証する手順をさらに含んでなる、請求項２記載の方法。
【請求項５】
前記再生装置（１２０）において、少なくとも前記リクエストメッセージ（１４１）および前記テキストベース応答メッセージ（１４３）を伝送する手順には使用されていないコミュニケーションリンクを介してコンテンツを受信する手順をさらに有してなる、請求項１または請求項２記載の方法。
【請求項６】
前記権限情報の解釈が、強制的なセキュリティハードウェアまたは強制的なセキュリティソフトウェアにより実行されてなる、請求項１または請求項２記載の方法。
【請求項７】
前記権限情報の解釈において、前記テキストベース応答メッセージ（１４３）から得られる少なくとも何らかの情報を解読してなる、請求項１または請求項２記載の方法。
【請求項８】
前記権限情報の解釈において、ライセンスまたはコンテンツの解読のために前記テキストベース応答メッセージ（１４３）から得られるキーを用いてなる、請求項１または請求項２記載の方法。
【請求項９】
前記権限情報の解釈において、実行権限の判定に用いられるライセンスを完成させるために，前記テキストベース応答メッセージ（１４３）から得られたキーを適用してなる、請求項１または請求項２記載の方法。
【請求項１０】
前記権限情報の解釈において、認証コードとして前記テキストベース応答メッセージ（１４３）から得られるキーを適用してなる、請求項１または請求項２記載の方法。
【請求項１１】
前記再生装置（１２０）またはそれに組み合わされたセキュアプロセッサ（１１０）により前記権限情報を認証する手順をさらに有してなる、請求項１記載の方法。
【請求項１２】
前記再生装置（１２０）およびそれに組み合わされた前記セキュアプロセッサ（１１０）の一方又は両方により前記権限情報を認証する手順をさらに有してなる、請求項２記載の方法。
【請求項１３】
前記認証において、前記テキストベース応答メッセージ（１４３）から導き出すことができる少なくとも何らかの情報を解読することが行われてなる、請求項１１または請求項１２記載の方法。
【請求項１４】
前記人が解読可能な文字を復号化する手順と、その文字の少なくとも一部から前記権限情報を導き出す手順をさらに有してなる、請求項１または請求項２記載の方法。
【請求項１５】
前記人が解読可能な文字が、前記再生装置（１２０）またはそれに組み合わされたセキュアプロセッサ（１１０）が入手可能なキーを用いて暗号化された情報を少なくとも含んでなる、請求項１４記載の方法。
【請求項１６】
前記人が解読可能な文字を、前記システムにより認証可能なデータを含む起動コードとして使用する手順と、
前記起動コードに応じて前記システム上で前記権限情報を解釈する手順と、をさらに有し、
前記権限情報を解釈する手順が、
前記起動コードを用いずに、前記システムが入手可能なライセンスパラメータを用いてライセンスを生成する手順と、
前記再生装置において、前記起動コードの少なくも一部を用いて、前記ライセンスサーバによる前記ライセンスパラメータの発行を暗号法により認証する手順と、を含んでなる、請求項２記載の方法。
【請求項１７】
請求項１記載の方法を実行してなるライセンスサーバ（１４０）。
【請求項１８】
セキュアプロセッサ（１１０）および再生装置（１２０）の一方又は両方を含むシステムであり、請求項２記載の方法を実行してなるシステム。
【手続補正２】
【補正対象書類名】明細書
【補正対象項目名】発明の名称
【補正方法】変更
【補正の内容】
【発明の名称】ライセンスサーバで実行される方法，セキュアプロセッサおよび再生装置の一方又は両方で実行される方法，ライセンスサーバ，システム
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
１つの誘導領域と、前記誘導領域に結合される１つまたは複数の境界領域を有する導波管を含む半導体基板と、
前記基板内に配置され、前記１つまたは複数の境界領域の内の１つまたは複数に結合される第１のＰＮジャンクションと、
前記第１のＰＮジャンクションにある前記半導体基板内に配置されるドーパント原子と、
を含んでいることを特徴とする装置。
【請求項２】
１つの境界領域の中に統合され、第１のＰＮジャンクションに結合されるインフルエンサをさらに含んでいることを特徴とする請求項１に記載の装置。
【請求項３】
基板内に配置され、第１のＰＮジャンクションに結合され、半導体スイッチを形成するために１つまたは複数の境界領域の内の１つまたは複数に結合される第２のＰＮジャンクションをさらに含んでいることを特徴とする請求項１に記載の装置。
【請求項４】
境界領域の中に統合され、半導体スイッチに結合されるインフルエンサをさらに含むことを特徴とする請求項３に記載の装置。
【請求項５】
放射線信号を伝播するための誘導領域を有する導波管と、
第１のモードと第２のモードの間にて前記導波管内で伝播する前記放射線信号の特徴を制御するために、前記導波管に結合されるインフルエンサと、
メモリサイクルのために前記放射線信号の前記特徴を保持するために、前記誘導領域に結合され、前記インフルエンサに反応するラッチング層と、
を含んでいることを特徴とするメモリ装置。
【請求項６】
インフルエンサは放射線信号の伝播方向に平行に磁場を生じさせることを特徴とする請求項５に記載のメモリ装置。
【請求項７】
ラッチング層は導波管の境界領域内に配置される磁気成分を含んでいることを特徴とする請求項５に記載のメモリ装置。
【請求項８】
第１のモードは第１の偏光角であり、第２のモードは前記第１の偏光角とは異なる第２の偏光角であることを特徴とする請求項６に記載のメモリ装置。
【請求項９】
第２の偏光角は第１の偏光角から九十度偏位されていることを特徴とする請求項８に記載のメモリ装置。
【請求項１０】
製造方法であって、
ａ）１つの誘導領域と、前記誘導領域に結合される１つまたは複数の境界領域を有する導波管を含む半導体基板を形成するステップと、
ｂ）前記基板内に第１のＰＮジャンクションを配置し、前記１つまたは複数の境界領域の内の１つまたは複数に結合させるステップと、
ｃ）前記第１のＰＮジャンクションで前記半導体基板内にドーパント原子を配置するステップと、
を含んでいることを特徴とする方法。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
電子ゴーグル装置であって、
１つまたは複数の半導体基板を含んでおり、それぞれの前記基板は、
複数の統合された導波管構造であって、それぞれの導波管構造は１つの誘導チャネルと、入力から出力へ放射線信号を伝播するための１つまたは複数の境界領域とを含む導波管構造と、
制御に反応し、前記出力でそれぞれの前記放射線信号の振幅を自立的に制御するために前記導波管構造に結合されるインフルエンサシステムと、
前記複数の導波管構造の前記出力をプレゼンテーションマトリックスに配列するためのディスプレイシステムと、
ユーザの視野の中に前記プレゼンテーションマトリックスを配置するためのヘッドマウントアイウェア構造と、
を支えることを特徴とする電子ゴーグル装置。
【請求項２】
それぞれの基板は複数の積層された基板ストリップを含み、前記ストリップのそれぞれは導波管構造の列を含むことを特徴とする請求項１に記載の装置。
【請求項３】
導波管構造はそれぞれのストリップの第１の端縁から側面方向に、前記ストリップの第２の端縁に伸張し、出力は前記第２の端縁に配列されることを特徴とする請求項２に記載の装置。
【請求項４】
導波管構造はフォトニック結晶エレメントを含むことを特徴とする請求項３に記載の装置。
【請求項５】
それぞれの基板は１つの基板表面に垂直または平行に伸張する導波管構造を含んでいることを特徴とする請求項１に記載の装置。
【請求項６】
プレゼンテーションマトリックスは基板表面に平行であり、ディスプレイシステムは、放射線信号を前記基板表面に向けるために導波管構造に結合される偏向システムを含むことを特徴とする請求項５に記載の装置。
【請求項７】
照明源はアイウェア構造から遠く離れていることを特徴とする請求項１に記載の装置。
【請求項８】
ディスプレイシステムは、出力をアイウェア構造に結合する１つまたは複数の導波管を有する第１の通信システムを含んでいることを特徴とする請求項１に記載の装置。
【請求項９】
電子ゴーグル装置の製造方法であって、
ａ）１つまたは複数の基板の中に複数の導波管構造を配置するステップであって、各導波管構造は１つの誘導チャネルと、入力から出力へ放射線信号を伝播するための１つまたは複数の境界領域とを含むステップと、
ｂ）制御に反応して、前記出力で前記放射線信号の振幅を自立して制御するために前記導波管構造にインフルエンサシステムを近接させるステップと、
ｃ）前記複数の導波管構造の前記出力をプレゼンテーションマトリックスの中に配列するステップと、
ｄ）ユーザの視野の中に前記プレゼンテーションマトリックスを配置するステップと、
を含んでいることを特徴とする方法。
【請求項１０】
電子ゴーグル装置の操作方法であって、
ａ）１つまたは複数の基板内で支えられ、プレゼンテーションマトリックスの中に配置される複数の導波管構造のそれぞれを通して放射線信号を伝播するステップであって、各導波管構造は１つの誘導チャネルと、入力から出力へ放射線信号を伝播するために１つまたは複数の境界領域とを含むステップと、
ｂ）前記対応する導波管構造の前記出力でそれぞれの前記放射線信号の振幅を自立して制御するステップと、
ｃ）一連の前記振幅制御放射線信号からディスプレイシステムを集合的に形成するために、前記複数の導波管構造のために前記放射線信号振幅制御を調整するステップと、
ｄ）ユーザの視野の中に前記ディスプレイシステムを配置するステップと、
を含んでいることを特徴とする方法。
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
近接センサが車両の経路内の任意の物体を検出するよう作動する移動モードと、
３次元測距装置が目標領域に関する距離情報を決定して、目標領域のモデルを生成する相互作用モードの、２つのモードで作動できる、車両用移動制御システム。
【請求項２】
移動モードでは、３次元測距装置が近接センサとして作用する、請求項１に記載の移動制御システム。
【請求項３】
３次元撮像装置が、
光スポットの投射２次元アレイでシーンを照射する照射手段と、
シーン内のスポット位置を検出する検出器と、
シーン内の検出されたスポット位置からそのスポットまでの距離を決定するスポットプロセッサと、
を備える、請求項１または２に記載の移動制御システム。
【請求項４】
３次元撮像装置が、少なくとも２つの検出器を備え、各検出器が異なる視点を有する、請求項３に記載の移動制御システム。
【請求項５】
少なくとも２つの３次元撮像装置を備え、各装置が異なる視点を有する、請求項１から４のいずれか一項に記載の移動制御システム。
【請求項６】
プロセッサが様々な視点から取得された画像にステレオ撮像技術を適用する、請求項４または５に記載の移動制御システム。
【手続補正書】
【提出日】平成20年7月29日(2008.7.29)
【手続補正１】
【補正対象書類名】明細書
【補正対象項目名】発明の名称
【補正方法】変更
【補正の内容】
【発明の名称】哺乳動物の精神分裂病および関連する精神病の治療および／または予防のための医薬
【手続補正２】
【補正対象書類名】明細書
【補正対象項目名】特許請求の範囲
【補正方法】変更
【補正の内容】
【特許請求の範囲】
【請求項１】エリスロポイエチンを含むことを特徴とする、哺乳動物の精神分裂病および関連する精神病の治療および／または予防のための医薬。
【請求項２】前記エリスロポイエチンが、天然または組換えのヒトまたは哺乳動物のエリスロポイエチンまたはその誘導体であることを特徴とする請求項１に記載の医薬。
【請求項３】前記エリスロポイエチンが、一回の投与あたり、および／または一日あたりおよび／または一週間あたり５，０００ＩＵないし２００，０００ＩＵの投与量で含有されていることを特徴とする請求項１又は２に記載の医薬。
【請求項４】前記エリスロポイエチンが、一回の投与あたり、および／または一日あたり３５，０００ＩＵの投与量で含有されていることを特徴とする請求項１〜３のいずれか１項に記載の医薬。
【請求項５】前記医薬が非経口的／全身的に投与される薬剤であることを特徴とする請求項１〜４のいずれか１項に記載の医薬。
【請求項６】前記医薬が局所的に投与される薬剤であることを特徴とする請求項１〜４のいずれか１項に記載の医薬。
【請求項７】前記医薬が血管内に投与される薬剤であることを特徴とする請求項１〜４のいずれか１項に記載の医薬。
【請求項８】前記医薬が静脈内に投与される薬剤であることを特徴とする請求項１〜４のいずれか１項に記載の医薬。
【手続補正３】
【補正対象書類名】明細書
【補正対象項目名】０００１
【補正方法】変更
【補正の内容】
【０００１】
本発明は、「精神分裂病」のもとに下記に包含される精神分裂病および関連の精神病の治療のための医薬に関する。
【手続補正４】
【補正対象書類名】明細書
【補正対象項目名】０００３
【補正方法】変更
【補正の内容】
【０００３】
従って、本発明の目的は精神分裂病および関連の精神病を治療するための医薬を提供できるようにすることである。
【手続補正５】
【補正対象書類名】明細書
【補正対象項目名】０００４
【補正方法】変更
【補正の内容】
【０００４】
この目的は請求項１記載の医薬によって達成される。本発明による医薬の有利な展開は、それぞれの従属請求項に示される。
【手続補正６】
【補正対象書類名】明細書
【補正対象項目名】００１１
【補正方法】変更
【補正の内容】
【００１１】
エリスロポイエチンを含む本発明の医薬の有利な出発点は、精神分裂病の場合、血液脳関門の障害が一般に精神病の急性期において起こり、それは血液中を循環するエリスロポイエチンの脳への急速な交差を許す。
【手続補正７】
【補正対象書類名】明細書
【補正対象項目名】００１６
【補正方法】変更
【補正の内容】
【００１６】
本発明による医薬の二三の例およびその結果を下記に示す。
【誤訳訂正書】
【提出日】平成20年3月31日(2008.3.31)
【誤訳訂正１】
【訂正対象書類名】明細書
【訂正対象項目名】特許請求の範囲
【訂正方法】変更
【訂正の内容】
【特許請求の範囲】    【請求項１】  ２つまたはそれ以上の光ファイバとアレイ導波路とのアライメントを行う方法であって、  エッチングでアレイ導波路に溝を形成することと、  ２つまたはそれ以上の光ファイバを溝の中に入れ、２つまたはそれ以上の光ファイバをまとめることを含む方法。    【請求項２】  ２つまたはそれ以上の光ファイバを、エッチングで溝が形成されているリテーナ内に保持する請求項１に記載の方法。    【請求項３】  アレイ導波路内のチャネルに直接前記エッチングを行う請求項１に記載の方法。    【請求項４】  さらに、  アレイ導波路の溝にゲルを塗布して、２つまたはそれ以上の光ファイバをアレイ導波路のチャネルに結合しやすくすることを含む請求項３に記載の方法。    【請求項５】  さらに、  ２つまたはそれ以上の光ファイバを手作業で調整し、２つまたはそれ以上の光ファイバとアレイ導波路との光接続を改善することを含む請求項４に記載の方法。    【請求項６】  ２つまたはそれ以上の光ファイバと基板内のチャネルとのアライメントを行う方法であって、  エッチングで基板内に溝を形成することと、  ２つまたはそれ以上の光ファイバを基板内の溝に入れ、２つまたはそれ以上の光ファイバを互いから所定の距離だけ離して保持するリテーナで２つまたはそれ以上の光ファイバを取り付けることを含む方法。    【請求項７】  基板内のチャネルに直接前記エッチングを行う請求項６に記載の方法。    【請求項８】  前記エッチングが基板の一端で行われ、基板の途中まで延びる請求項７に記載の方法。    【請求項９】  さらに、  基板内にエッチングで溝の第２の組を形成することを含み、これらの溝は基板の縁から基板の途中まで延びている請求項８に記載の方法。    【請求項１０】  さらに、  ２つまたはそれ以上の光ファイバの第２の組を前記溝の第２の組に入れることを含み、２つまたはそれ以上の光ファイバからなる第２の組を２つまたはそれ以上の光ファイバの第２の組の間の間隔を維持する第２のリテーナにより固定する請求項９に記載の方法。    【請求項１１】  デバイスであって、  チャネルが内部を通っているアレイ導波路であって、アレイ導波路の縁にエッチングでＶ溝が形成されているアレイ導波路と、  アレイ導波路のＶ溝内に置かれている複数の光ファイバと、  アレイ導波路との間で複数の光ファイバを挟むリテーナであって、Ｖ溝がアレイ導波路のＶ溝と対応しているリテーナを備えるデバイス。    【請求項１２】  さらに、  複数の光ファイバとアレイ導波路の間に入れられたゲルを備える請求項１１に記載のデバイス。    【請求項１３】  ゲルの屈折率が複数の光ファイバの屈折率と実質的に一致する請求項１２に記載のデバイス。    【請求項１４】  アレイ導波路の縁にエッチングで第２の組のＶ溝が彫られており、デバイスはさらに、  アレイ導波路の第２の組のＶ溝内に置かれている第２の複数の光ファイバと、  アレイ導波路との間で第２の複数の光ファイバを挟む第２のリテーナであって、Ｖ溝がアレイ導波路の第２の組のＶ溝に対応している第２のリテーナを備える請求項１１に記載のデバイス。    【請求項１５】  さらに、  ゲルを第２の複数の光ファイバとアレイ導波路の間に入れ、ゲルの屈折率が第２の複数の光ファイバの屈折率と実質的に一致している請求項１４に記載のデバイス。
【手続補正書】
【提出日】平成20年5月30日(2008.5.30)
【手続補正１】
【補正対象書類名】明細書
【補正対象項目名】請求項６
【補正方法】変更
【補正の内容】
【請求項６】  シリンダ管路（４）とタンク管路（８）の間に、圧力逃がし弁（１６）が配置されていることを特徴とする請求項４または５記載の制御装置。
【手続補正２】
【補正対象書類名】明細書
【補正対象項目名】請求項９
【補正方法】変更
【補正の内容】
【請求項９】  請求項３又は５記載の弁グループ（３）内に配置された弁が次のように運転される、すなわち
第１の方法ステップにおいて三方弁（１７）とプリプレス弁（１１）の制御によって圧力変換器（９；９′）が減圧器として作用し、プレスシリンダ（１）内に予圧を発生し、
他の方法ステップにおいて遮断弁（１５）と主プレス弁（１４）を制御することによって、プレスシリンダ（１）内に圧力が発生し、この圧力が予め選定可能であり、かつ最高値が圧力媒体アキュムレータ（７）内の圧力に一致し、
それに続く他の方法ステップにおいて主プレス弁（１４）と低圧室流入弁（１３）を制御することによって、圧力変換器（９；９′）が増圧器として作用し、圧力媒体アキュムレータ（７）内の圧力よりも高い圧力をプレスシリンダ（１）内に発生し、
それに続く他の方法ステップにおいて主プレス弁（１４）と遮断弁（１５）を制御することによって、プレスシリンダ（１）内の圧力が、圧力媒体アキュムレータ（７）内の圧力の高さまで低下させられ、
場合によってはそれに続く他の方法ステップにおいて主プレス弁（１４）と低圧室排出弁（１２）を制御することによって、圧力変換器（９）のピストン（９Ｋ）が次のプレスサイクルにとって望ましい位置にもたらされ、そして
最後に圧力逃がし弁（１６）を制御することによってプレスシリンダ（１）内の残留圧力が低下させられる
ように運転されることを特徴とする請求項８記載の方法。
【手続補正３】
【補正対象書類名】明細書
【補正対象項目名】請求項１１
【補正方法】変更
【補正の内容】
【請求項１１】  プレスがタイルのようなセラミック部品を成形するために使用される、請求項１〜７のいずれか１項に記載の制御装置と、請求項８〜１０のいずれか１項に記載の方法の使用。
【誤訳訂正書】
【提出日】平成20年6月30日(2008.6.30)
【誤訳訂正１】
【訂正対象書類名】特許請求の範囲
【訂正対象項目名】全文
【訂正方法】変更
【訂正の内容】
【特許請求の範囲】
【請求項１】
血管内に配置され得る細長い本体を有するカテーテルと、
該細長い本体上の一対の膨張可能なバルーン部材であって、該血管の内壁に接触するように膨張可能なバルーン部材と、
該バルーン間の該細長い本体上の電極配列と、
該バルーン間の該細長い本体上の複数の開口と、
該複数の開口と結合されたフラッシング流体の流体源と、
該複数の開口と流動的に結合された真空源であって、該複数の開口を通して該血管の組織を引き出して該電極配列に接触させると共に、該血管の中から血液及びフラッシング流体を吸引するのに十分な真空圧を与える真空源と、
該電極配列と電気的に結合された切除エネルギー源であって、該電極配列への電圧印加によって該電極配列に接触する血管組織の切除を生じさせるようにされた切除エネルギー源とから成る血管密閉装置。
【請求項２】
該真空源は切除中発生される水分を組織から該細長い本体内に引き出すようにさらに操作され得る、請求項１の装置。
【請求項３】
該電極はバイポーラ電極である、請求項１の装置。
【請求項４】
該切除エネルギー源は、低インピーダンス変圧回路及び高インピーダンス変圧回路を有するＲＦ発生器と、該電極配列に接触する組織のインピーダンスを測定するインピーダンス検出回路及び該電極配列に接触する該組織の該インピーダンスに基づく低インピーダンス変圧回路と、高インピーダンス変圧回路間の選択を自動的に行う制御回路とを含む、請求項１の装置。
【請求項５】
該制御回路は、該電極配列と接触する該組織の該測定されたインピーダンスに最も近いインピーダンスを有する該変圧回路を選択するためのものである、請求項4の装置。
【誤訳訂正２】
【訂正対象書類名】明細書
【訂正対象項目名】０００４
【訂正方法】変更
【訂正の内容】
【０００４】
本発明は静脈を閉鎖するのに用いられる切除方法及び装置である。本発明による装置は、静脈内に挿入するよう調和されたカテーテル、カテーテル本体上に隔置された膨張可能な一対のバルーン及びバルーン間に配置された切除電極配列を含む。開示された方法によると、カテーテルは処置すべき静脈内に導入されてバルーンが膨張される。血液がバルーン間の位置からフラッシングされて吸引される。ＲＦ電力が電極配列に印加され、血管璧に瘢痕を生じさせて最終的に静脈を密閉する。瘢痕及び密閉を容易にするために手術後に圧力包帯が暫時患者の足のまわりに用いられる。
【誤訳訂正３】
【訂正対象書類名】明細書
【訂正対象項目名】０００７
【訂正方法】変更
【訂正の内容】
【０００７】
電極配列（アレイ）２６は、バルーン２０間のカテーテル本体１２上に配置される。配列２６は、望ましくはカテーテル本体全体に亘って形成される１つ又はそれ以上のバイポーラ電極対２８を含む。望ましい構成では、静脈の目標領域全長の同時切除を可能にするように同配列はカテーテルの十分な長さに沿って延びる。これで、静脈内でカテーテルを再配置させるか又は所望の長さの血管を切除するために静脈を通して印加された電極をひきづる必要性は回避される
【誤訳訂正４】
【訂正対象書類名】明細書
【訂正対象項目名】００１８
【訂正方法】変更
【訂正の内容】
【００１８】
切除によって組織の脱水が起こり、従って伝導度が低下するようにされる。真空を用いるか又はその他の方法で切除位置から水分を遠くへそらし、従って流体の増大を防止することにによって本発明による切除装置の使用中切除領域における流体導体は存在しない。従って、切除が所望の深さに達してしまうと、組織内への電流の流れを停止させるか又は殆ど停止させるのに十分な程度まで組織表面のインピーダンスが高くなる。ＲＦ切除はそれによって停止し、有意の量の熱切除は発生しない。ＲＦ制御器がインピーダンス モニターを備えるならば、切除装置を用いる医師は電極においてインピーダンスを監視することが可能なので、一度インピーダンスが一定のレベルまで上昇すると切除が自動停止してしまっていることを理解するであろう。その代わりにインピーダンスモニターは、所望のインピーダンスが達成されてしまった後自動的に電力放出を遮断し、処置が完了していることを医師に知らせるメッセージを表示するか又は一種の指示信号を送ることができる。対照的に、水分の除去がない場合には、既に行われてしまっている切除の深さにかかわらず、バイポーラ電極周囲の流体の存在によってインピーダンスモニターに低インピーダンスの読みを与える結果になるであろう。それは低インピーダンス流体層を通して電流が継続して流れるからである。
【誤訳訂正書】
【提出日】平成20年1月10日(2008.1.10)
【誤訳訂正１】
【訂正対象書類名】明細書
【訂正対象項目名】００２０
【訂正方法】変更
【訂正の内容】
【００２０】
それは、例えば手術台に固有の加圧流体源に連結された液圧ジャッキ（verin hydraulique）からなる直線変位アクチュエータ３０を含む。
【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】
支持体としてのインプラント材料および該支持体の表面へ少なくとも部分的に適用された生体適合性コーティングを含む人工インプラントであって、該コーティングが、以下の一般式（Ｉ）
【化１】
2004522461.tif 000001
［ここで、Ｒ１〜Ｒ６が同一であるかまたは異なり、そしてアルコキシ、アルキルスルホニル、ジアルキルアミノまたはアリールオキシ基、あるいはヘテロ原子として窒素を有するヘテロシクロアルキルまたはヘテロアリール基を示す］
を有する抗血栓性ポリマー、および少なくとも１つの他の薬理学的に活性な薬剤を含む、人工インプラント。
【請求項２】
基Ｒ１〜Ｒ６の少なくとも１つが、少なくとも１つのフッ素原子で置換されたアルコキシ基である、請求項１に記載の人工インプラント。
【請求項３】
前記抗血栓性ポリマーが、ポリ［ビス（トリフルオロエトキシ）ホスファゼン］である、請求項２に記載の人工インプラント。
【請求項４】
前記他の薬理学的に活性な薬剤が、抗分裂促進活性薬剤、細胞増殖抑制剤（ｃｙｔｏｓｔａｔｉｃ）、ＰＤＧＦアンタゴニスト、トラピジル、またはＲａｆ−１キナーゼインヒビターから選ばれる、請求項１〜３の１項に記載の人工インプラント。
【請求項５】
前記他の薬理学的に活性な薬剤が、ラジカルトラップ、プロブコール、アンチセンス活性薬剤、プラスミドＤＮＡ、スタチン、セリバスタチン、ＧＰ−ＩＩｂ／ＩＩＩａレセプターアンタゴニスト、又はアブシキシマブから選ばれる、請求項１〜３の１項に記載の人工インプラント。
【請求項６】
抗血栓性ポリマーと活性薬剤との比が、１：０．０００１から１：１までである、請求項１〜５の１項に記載の人工インプラント。
【請求項７】
接着促進剤（ａｄｈｅｓｉｏｎ ｐｒｏｍｏｔｅｒ）を含む層が、前記支持体の表面と前記生体適合性コーティングとの間に提供される、請求項１〜６の１項に記載の人工インプラント。
【請求項８】
前記接着促進剤が、有機シリコン化合物、又はアミノプロピルトリメトキシシランから選ばれる、請求項７に記載の人工インプラント。
【請求項９】
前記生体適合性コーティングが、前記支持体と、
（ａ）前記抗血栓性ポリマーまたはその前駆体および前記活性薬剤の混合物とを反応させることによって、
あるいは、
（ｂ）前記抗血栓性ポリマーまたはその前駆体とを反応させて、一次ポリマーコーティングを製造し、そして引き続いて該一次ポリマーコーティングへ前記活性薬剤を適用／浸透させることによって、
該支持体へ適用される、請求項１〜８の１項に記載の人工インプラントの製造方法。
【請求項１０】
前記コーティングが、湿式化学によって、特に前記支持体を抗血栓性ポリマーおよび活性薬剤の混合物と反応させることによって、適用される、請求項９に記載の方法。
【請求項１１】
前記湿式化学適用のための溶媒が、双極性非プロトン性溶媒から選択され、そして好ましくは酢酸エチルである、請求項１０に記載の方法。
【請求項１２】
接着促進剤が前記支持体の表面へ適用され、その後、前記生体適合性コーティングが適用される、請求項９〜１１に記載の方法。
【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】  衝突の際に車占有者と車の間で使用するために適合させた膨張性ワンピース織りエアバッグであって、該エアバッグがワンピース織り構造物であり、一定の予め決めた位置に以下の成分を含んでなるエアバッグ：
(ａ)内側織布層；
(ｂ)部分的にプライマーまたは接着配合被覆物からなる中間層であって、該プライマーまたは接着配合被覆物が少なくとも内側織布層に接触および結合している中間層；および
(ｃ)中間層上の外側布層。
【請求項２】  中間層と向き合う外側布層の側面において、フィルムが外側布層に積層されている請求項１に記載のエアバッグ。
【請求項３】  フィルムが、プライマーまたは接着配合被覆物と外側布層の間に供されている請求項１に記載のエアバッグ。
【請求項４】  フィルムがポリウレタンからなる請求項２に記載のエアバッグ。
【請求項５】  外側布層が、ポリエステル、ポリアミド、ポリオレフィン、ポリウレタンから選択される１つまたはそれ以上の材料から構成される請求項１に記載のエアバッグ。
【請求項６】  フィルムが、１つまたはそれ以上のポリウレタン、ポリアミド、コポリマー材料を含んでなる請求項２に記載のエアバッグ。
【請求項７】  プライマーまたは接着配合被覆物が樹脂を含んでなる請求項１に記載のエアバッグ。
【請求項８】  プライマーまたは接着配合被覆物がポリイソシアネートをさらに含んでなる請求項１に記載のエアバッグ。
【請求項９】  プライマーまたは接着配合被覆物を液体として適用し、該液体が部分的に溶剤を含んでなる請求項１に記載のエアバッグ。
【請求項１０】  溶剤がジメチルホルムアミドを含んでなる請求項９に記載のエアバッグ。
【請求項１１】  耐摩耗性の膨張性エアバッグクッションとして使用するために適合させた布複合物であって、以下の成分を含んでなる布複合物：
(ａ)内側織布層；
(ｂ)少なくとも部分的にプライマーまたは接着配合被覆物からなる、内側織布層と接触している中間層であって、該プライマーまたは接着配合被覆物が少なくとも内側織布層に結合している中間層；および
(ｃ)中間層上の外側布層。
【請求項１２】  中間層と向き合う外側布層の側面において、フィルムが外側布層に積層されている請求項１１に記載の布複合物。
【請求項１３】  フィルムが、プライマーまたは接着配合被覆物と外側布層の間に位置している請求項１１に記載の布複合物。
【請求項１４】  プライマーまたは接着配合被覆物が樹脂を含んでなる請求項１１に記載の布複合物。
【請求項１５】  プライマーまたは接着配合被覆物がポリイソシアネートを含んでなる請求項１１に記載の布複合物。
【請求項１６】  プライマーまたは接着配合被覆物を液体として適用し、該液体が部分的に溶剤を含んでなり、被覆物の硬化時に固体を形成する請求項１１に記載の布複合物。
【請求項１７】  溶剤がジメチルホルムアミドを含んでなる請求項１６に記載の布複合物。
【請求項１８】  衝突の際に車占有者と車の間で使用するために適合させたエアバッグであって、該エアバッグが実質的に耐破壊性および耐摩耗性を有し、以下の成分を含んでなるエアバッグ：
(ａ)内側織布層；
(ｂ)部分的にプライマーまたは接着配合被覆物からなる中間層であって、該プライマーまたは接着配合被覆物が少なくとも内側織布層に接触および結合している中間層；および
(ｃ)中間層に適用したフィルム。
【請求項１９】  フィルムがポリウレタンを含んでなる請求項１８に記載のエアバッグ。
【手続補正書】
【提出日】平成19年10月29日(2007.10.29)
【手続補正１】
【補正対象書類名】明細書
【補正対象項目名】０００４
【補正方法】変更
【補正の内容】
【０００４】
一方、トリアセチルセルロース樹脂フィルムは透湿度が高いため、この樹脂を保護フィルムとして貼合した偏光板は、湿熱下、例えば、温度７０℃、相対湿度９０％のような条件下では劣化を引き起こすなどの問題があった。そこで、トリアセチルセルロース樹脂フィルムよりも透湿度の低い樹脂フィルムを保護フィルムとすることで、かかる問題を解決する方法も提案されており、例えば、非晶性ポリオレフィン樹脂を保護フィルムとすることが知られている。
【手続補正２】
【補正対象書類名】明細書
【補正対象項目名】００１５
【補正方法】変更
【補正の内容】
【００１５】
かくして得られる偏光フィルムは、本発明に従って、２枚の保護フィルムが段階的に片面ずつ貼合され、最終的に両面が保護フィルムで保護された偏光板とされる。本発明ではまず、第一の保護フィルムと偏光フィルムとを貼合して巻き取り、その後、第一の保護フィルムが貼合されていない偏光フィルムの面に第二の保護フィルムを貼合する。第一の保護フィルムと第二の保護フィルムは、同じであっても異なっていてもよいが、特に本発明の方法は、少なくとも一方の保護フィルムとして、透湿度の低い樹脂フィルム、具体的には３００ｇ／m2／２４hr以下の透湿度を有する樹脂フィルムを用いる場合に有効である。樹脂フィルムの透湿度は、 JIS Z 0208 に従って測定することができる。ここでいう透湿度は、膜厚補正などを施さず、実際に使用する膜厚のフィルムの測定値をもって表す。
【手続補正書】
【提出日】平成19年2月20日(2007.2.20)
【手続補正１】
【補正対象書類名】明細書
【補正対象項目名】００４１
【補正方法】変更
【補正の内容】
【００４１】
また、テレビ受信機１００は、バッファメモリ１０９に一時的に保存される５２５ｉ信号を入力画像信号Ｖinとし、１０８０ｉ信号またはＸＧＡ信号に変換し、あるいはその５２５ｉ信号をその画像の一部を任意の倍率で拡大表示するための新たな５２５ｉ信号に変換して出力する画像信号処理部１１０と、この画像信号処理部１１０の出力画像信号Ｖoutによる画像を表示するディスプレイ部１１１とを有している。ディスプレイ部１１１は、例えばＣＲＴ（cathode-ray tube)ディスプレイ、あるいはＬＣＤ（liquid crystal display）等の表示装置で構成されている。
【手続補正２】
【補正対象書類名】明細書
【補正対象項目名】００５５
【補正方法】変更
【補正の内容】
【００５５】
【数２】
2002196737.tif 000001
【手続補正３】
【補正対象書類名】明細書
【補正対象項目名】０１０９
【補正方法】変更
【補正の内容】
【０１０９】
【数６】
2002196737.tif 000002
【手続補正４】
【補正対象書類名】明細書
【補正対象項目名】０１１０
【補正方法】変更
【補正の内容】
【０１１０】
最終的に、学習によって未定係数ｗijを求める。すなわち、クラス毎に、生徒信号の画素データと教師信号の画素データとを用いて、二乗誤差を最小にする係数値を決定する。いわゆる最小二乗法による解法である。学習数をｍ、ｋ（１≦ｋ≦ｍ）番目の学習データにおける残差をｅk、二乗誤差の総和をＥとすると、（４）式および（５）式を用いて、Ｅは（９）式で表される。ここで、ｘikは生徒画像のｉ番目の予測タップ位置におけるｋ番目の画素データ、ｙkはそれに対応する教師画像のｋ番目の画素データを表している。
【手続補正５】
【補正対象書類名】明細書
【補正対象項目名】０１１２
【補正方法】変更
【補正の内容】
【０１１２】
最小二乗法による解法では、（９）式のｗijによる偏微分が０になるようなｗijを求める。これは、（１０）式で示される。
【手続補正６】
【補正対象書類名】明細書
【補正対象項目名】０１１７
【補正方法】変更
【補正の内容】
【０１１７】
この方程式は一般に正規方程式と呼ばれている。この正規方程式は、掃き出し法（Gauss-Jordanの消去法）等を用いて、ｗijについて解かれ、係数種データが算出される。
【手続補正７】
【補正対象書類名】明細書
【補正対象項目名】０１７０
【補正方法】変更
【補正の内容】
【０１７０】
また、係数種データ生成装置１５０′は、正規方程式生成部１７１で生成された正規方程式のデータが供給され、その正規方程式を解いて、各ＳＤ信号にそれぞれ対応した各クラスの係数データＷｉを求める係数データ決定部１７２と、この各ＳＤ信号に対応した各クラスの係数データＷｉと、垂直方向および水平方向への位相シフト値のパラメータＨ，Ｖとを用いて、クラス毎に、係数種データｗ10〜ｗn9を得るための正規方程式（（２５）式参照）を生成する正規方程式生成部１７３とを有している。
【手続補正８】
【補正対象書類名】明細書
【補正対象項目名】０１７１
【補正方法】変更
【補正の内容】
【０１７１】
また、係数種データ生成装置１５０′は、正規方程式生成部１７３でクラス毎に生成された正規方程式のデータと、クラス毎に正規方程式を解いて、各クラスの係数種データｗ10〜ｗn9を求める係数種データ決定部１７４と、この求められた係数種データｗ10〜ｗn9を記憶する係数種メモリ１６２とを有している。
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
管理コンピュータが少なくとも一つの被管理コンピュータを管理するためのコンピュータ管理方法であって、
前記被管理コンピュータは、  
前記被管理コンピュータで実行された、プロセスで発生した事象をシステムのログ情報としてシステムログ記憶手段に格納し、アプリケーションによる業務実行中に発生した事象を収集し、アプリケーションプログラムログのログ情報としてアプリケーションプログラムログ記憶手段に格納し、
各記憶手段に格納した前記システムのログ情報及び前記アプリケーションプログラムのログ情報が、予め定義した条件を含んでいるかどうかを判定し、予め定義した条件を含んでいる場合には当該ログ情報を抽出し、抽出したログ情報をオブジェクトに変換することによって前記ログ情報を含むログオブジェクト、及び、メッセージの発生元と発生時期とメッセージと重要度を表す属性を含むイベントオブジェクトを生成し、前記ログオブジェクトを共通ログ記憶手段に格納し、前記イベントオブジェクトのうち、重要度を表す値の高いものを外部イベントオブジェクトとして前記管理コンピュータに通知をすることを特徴とするコンピュータの管理方法。
【請求項２】
前記管理コンピュータからの前記ログ情報抽出の要求が、ジョブ単位である場合、該当ジョブの同時期の実行周期に実行されたログデータの抽出を要求し、業務単位である場合、該当業務のジョブの実行順序を取得し、同じジョブ名でありかつ同時期の当該業務に関するログデータの抽出を要求することを特徴とする請求項１記載のコンピュータの管理方法。
【請求項３】
前記外部イベントの通知を受けた前記管理コンピュータから前記被管理コンピュータに対して前記外部イベントオブジェクトに対応したログ情報抽出要求が出されると、
前記被管理コンピュータは、前記ログ情報抽出要求に対応した外部イベントオブジェクトの属性に合致するログ情報を前記共通ログ記憶手段から抽出し、前記管理コンピュータへ通知をすることを特徴とする請求項１記載のコンピュータの管理方法。
【手続補正書】
【提出日】平成18年11月21日(2006.11.21)
【手続補正１】
【補正対象書類名】明細書
【補正対象項目名】００１３
【補正方法】変更
【補正の内容】
【００１３】
さて、図１においてズームスイッチ２は、ビデオカメラ１のズーム位置の制御（制御対象）を行うためのスイッチ（操作手段）である。ズームスイッチ２は、１軸の回転動作をするレバーを中立位置から左右方向に操作することで、図３に示すようにレバーの操作量（回転量）に応じてスイッチ端子５がＧＮＤ端子６及びＶCC端子７間を移動するようになっている。スイッチ端子５が移動するとＧＮＤ端子６との間の抵抗値が変化するため、そのときの出力信号は操作量に対する電圧値としてリニアに取り出せるように構成されている（検出手段）。
【手続補正２】
【補正対象書類名】明細書
【補正対象項目名】００１７
【補正方法】変更
【補正の内容】
【００１７】
ズームスイッチ２を操作することで、ズームスイッチ２からの出力信号がマイコン４に入力される。この出力信号の入力に基づきマイコン４は、ズームスイッチ２からの出力信号を２．５Ｖを基準にして、２．５Ｖ以上の出力信号に対してはズームを望遠側（telescope ）に、また２．５Ｖ以下の出力信号に対してはズームを広角側（widescope ）に移動するようにズーム制御装置（制御装置）を介して制御する。この場合、ズームスイッチ２の出力信号レベルに応じてズームの移動速度自体を制御するようになっている。この出力信号レベルとズーム移動速度との関係については、具体的に後述するものとする。
【手続補正３】
【補正対象書類名】明細書
【補正対象項目名】００３３
【補正方法】変更
【補正の内容】
【００３３】
この後、雲台操作装置１５から信号がマイコン２２に入力されると、マイコン２２は先に設定した受付時間Ｔ（操作時間）に応じて、以下に説明するように電動雲台制御回路２３に制御信号を送る。
図１２（Ａａ）及び図１２（Ａｂ）は、ズーム位置がＷｉｄｅ端にあるときのタイミングチャートである。図１２（Ａａ）は、雲台操作装置１５からマイコン２２に入力される信号レベルを表わし、信号レベルがＨｉにあるときに雲台操作装置１５からマイコン２２に信号が入力されていることを示す。また、図１２（Ａｂ）は、マイコン２２から電動雲台制御回路２３に出力される信号レベルを表わし、信号レベルがＨｉにあるときにマイコン２２から電動雲台制御回路２３に制御信号が出力されていることを示す。
【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】  被写体に放射線を照射することにより得られた画像データから被写体領域を抽出する肺領域抽出装置において、
す抜け領域を前記画像データの値から抽出する手段と、
前記す抜け領域及びす抜け領域と一定幅で接する領域に基づき被写体領域を抽出する手段とを備えることを特徴とする肺領域抽出装置。
【請求項２】  該被写体領域内から肺領域を抽出する肺領域抽出手段を備えることを特徴とする請求項１に記載の肺領域抽出装置。
【請求項３】  前記肺領域抽出手段は、前記被写体領域内の最大画素値と該被写体領域内におけるプロファイルの凹部の最小画素値とに基づき定められる領域を肺野領域として抽出することを特徴とする請求項２に記載の肺領域抽出装置。
【請求項４】  前記プロファイルは、前記最大画素値を示す画素と同一水平線上における画素値列であることを特徴とする請求項３に記載の肺領域抽出装置。
【請求項５】  前記最大画素値及び前記最小画素値に基づき定まる閾値以上の値を示す前記被写体領域以内における画素を肺野領域として抽出することを特徴とする請求項３に記載の肺領域抽出装置。
【請求項６】  前記閾値は、前記最大画素値及び前記最小画素値を入力値とする回帰式またはニューラルネットの出力値であることを特徴とする請求項４に記載の肺領域抽出装置。
【請求項７】  前記す抜け領域を、前記画像データのヒストグラムから求めることを特徴とする請求項１に記載の肺領域抽出装置。
【請求項８】  被写体に放射線を照射することにより得られた画像データから被写体領域を抽出する肺領域抽出方法において、
す抜け領域を前記画像データの値から抽出する工程と、
前記す抜け領域及びす抜け領域と一定幅で接する領域に基づき被写体領域を抽出する工程とを含むことを特徴とする肺領域抽出方法。
【請求項９】  被写体に放射線を照射することにより得られた画像データから被写体領域を抽出する肺領域抽出方法をコンピュータに実行させるためのプログラムを記録したコンピュータ読み取り可能な記録媒体において、
す抜け領域を前記画像データの値から抽出する工程と、
前記す抜け領域及びす抜け領域と一定幅で接する領域に基づき被写体領域を抽出する工程とをコンピュータに実行させるためのプログラムを記録したコンピュータ読み取り可能な記録媒体。
【手続補正２】
【補正対象書類名】明細書
【補正対象項目名】０００７
【補正方法】変更
【補正の内容】
【０００７】
【課題を解決するための手段】
本発明の肺領域抽出装置は、被写体に放射線を照射することにより得られた画像データから被写体領域を抽出する肺領域抽出装置において、す抜け領域を前記画像データの値から抽出する手段と、前記す抜け領域及びす抜け領域と一定幅で接する領域に基づき被写体領域を抽出する手段とを備えることを特徴とする。
本発明の肺領域抽出方法は、被写体に放射線を照射することにより得られた画像データから被写体領域を抽出する肺領域抽出方法において、す抜け領域を前記画像データの値から抽出する工程と、前記す抜け領域及びす抜け領域と一定幅で接する領域に基づき被写体領域を抽出する工程とを含むことを特徴とする。
本発明のコンピュータ読み取り可能な記録媒体は、被写体に放射線を照射することにより得られた画像データから被写体領域を抽出する肺領域抽出方法をコンピュータに実行させるためのプログラムを記録したコンピュータ読み取り可能な記録媒体において、す抜け領域を前記画像データの値から抽出する工程と、前記す抜け領域及びす抜け領域と一定幅で接する領域に基づき被写体領域を抽出する工程とをコンピュータに実行させるためのプログラムを記録したことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】平成19年11月1日(2007.11.1)
【手続補正１】
【補正対象書類名】明細書
【補正対象項目名】０００７
【補正方法】変更
【補正の内容】
【０００７】
従来では、例えば、半導体製造プロセスと同様な方法を用いてホログラムの微細な形状をシリコン基板上に形成し、その形状を電鋳等によって金属に転写していた。しかし、ホログラムの微細な形状は、レンズ面等の曲面への形成ができない、平面であっても彫りの深いホログラム形状は形成することができない、断面形状がノコギリ形状をした、所謂ブレーズドホログラムは露光調整が困難であるという点から形成が困難である、電鋳の際に形状変形や傷等が発生し易い、電鋳プロセスの制約から比較的軟らかい金属しか使用できないため金型としての寿命が短い、更に、ガラス用の金型（ガラスレンズをプレスするための金型）に上記光学インサートを使用することも不可能であった。
【手続補正２】
【補正対象書類名】明細書
【補正対象項目名】００１５
【補正方法】変更
【補正の内容】
【００１５】
典型的なホログラムの形状は、図５にレンズ１のレンズ面の一部を拡大して示すように、非常に微細なノコギリ形状を全面に亘って光学精度で形成したものである。尚、光学精度とは、例えば、ＣＤ用の光源波長が７８０ｎｍの光学ピックアップに用いられる対物レンズの場合においては、形状精度がＰＶで０．１μｍ以下、面粗度がＲａで２０ｎｍ以下が要求される。
【手続補正３】
【補正対象書類名】明細書
【補正対象項目名】００２８
【補正方法】変更
【補正の内容】
【００２８】
従って、本発明においては、光学インサート４の材質には、焼き入れ等の熱処理を行ったステンレス鋼材や、元々硬い材料で切削加工を施すのが困難な超硬合金、炭化珪素の脆性材料が用いられる。